(57)【要約】      （修正有）【課題】立体キルトのマチの配置作業を効率的に行うことができる複層式布団を提供する。【解決手段】複層式布団１は、第一布地１１と第二布地１２がそれぞれの内面に設けたマチ３１，３２を介した立体キルト３０により結合されて、第一素材２１が配置される。第二布地１２と第三布地１３がタタキキルト４０に結合されて、第二素材２２が配置される。マチ３１，３２は、予め複数の切り込みが設けられており、第一布地１１または第二布地１２から起立する。【選択図】図２
0003216174.tif 000002
【実用新案登録請求の範囲】
【請求項１】
第一布地、第二布地および第三布地を有し、
前記第一布地と前記第二布地がそれぞれの内面に設けたマチを介した立体キルトにより結合されて、前記第一布地と前記第二布地の間に第一素材が配置され、
前記第二布地と前記第三布地がタタキキルトまたは第二立体キルトに結合されて、前記第二布地と前記第三布地の間に第二素材が配置される複層式布団において、
前記マチは、予め複数の切り込みが設けられており、前記第一布地または前記第二布地から起立することを特徴とする複層式布団。
【請求項２】
前記立体キルトと、前記タタキキルトまたは前記第二立体キルトとの配置が異なることを特徴とする請求項１に記載の複層式布団。
【請求項３】
前記切り込みは、横切る縫い目が通過する部位にＶ字形に形成されることを特徴とする請求項１または２に記載の複層式布団。
【請求項４】
前記切り込みは、前記立体キルトの間隔と、前記タタキキルトまたは前記第二立体キルトの間隔とを組み合わせた間隔で形成されることを特徴とする請求項１または２に記載の複層式布団。
【請求項５】
前記第一素材は、前記第二素材よりもボリュームが大きい素材であり、
前記第二素材は、前記第一素材よりも柔らかくしなやかな素材であることを特徴とする請求項１から４のうちいずれか一項に記載の複層式布団。
【請求項６】
前記第一布地の外面側に第三素材を介して第四布地が配置され、
前記第一布地と前記第四布地がタタキキルトまたは第三立体キルトにより結合されることを特徴とする請求項１から５のうちいずれか一項に記載の複層式布団。
【請求項７】
前記第三素材は、前記第二素材と同一の素材であることを特徴とする請求項６に記載の複層式布団。
【考案の詳細な説明】
【技術分野】
【０００１】
本考案は、複層式布団に関する。
【背景技術】
【０００２】
二層式羽毛掛け布団等の複層式布団は、表地、中地及び裏地の３枚の布地を有し、表地と中地の間に羽毛が、中地と裏地の間に綿材が配置される。表地と中地は立体キルトにより、中地と裏地はタタキキルトにより結合される。
【先行技術文献】
【特許文献】
【０００３】
【特許文献１】特開２０１２−２１３６２２号公報
【考案の概要】
【考案が解決しようとする課題】
【０００４】
従来の複層式布団は、格子状に縫い付けた立体キルトをタタキキルトでさらに縫い付けた後に、縫い付けられた部位の近傍を切断してマチを布地から起立させていた。
特に、立体キルトとタタキキルトの位置をずらす場合には、切断箇所が増えるため、手間がかかるという課題があった。
【０００５】
本考案が解決しようとする課題は、立体キルトのマチの配置作業を効率的に行うことができる複層式布団を提供することである。
【課題を解決するための手段】
【０００６】
本考案の複層式布団の第一実施態様は、第一布地、第二布地および第三布地を有し、前記第一布地と前記第二布地がそれぞれの内面に設けたマチを介した立体キルトにより結合されて、前記第一布地と前記第二布地の間に第一素材が配置され、前記第二布地と前記第三布地がタタキキルトまたは第二立体キルトに結合されて、前記第二布地と前記第三布地の間に第二素材が配置される複層式布団において、前記マチは、予め複数の切り込みが設けられており、前記第一布地または前記第二布地から起立することを特徴とする。
【０００７】
本考案の複層式布団の第二実施態様は、第一実施態様において、前記立体キルトと、前記タタキキルトまたは前記第二立体キルトとの配置が異なることを特徴とする。
【０００８】
本考案の複層式布団の第三実施態様は、第一または第二実施態様において、前記切り込みは、横切る縫い目が通過する部位にＶ字形に形成されることを特徴とする。
【０００９】
本考案の複層式布団の第四実施態様は、第一または第二実施態様において、前記切り込みは、前記立体キルトの間隔と、前記タタキキルトまたは前記第二立体キルトの間隔とを組み合わせた間隔で形成されることを特徴とする請求項１または２に記載の複層式布団。
【００１０】
本考案の複層式布団の第五実施態様は、第一から第四実施態様のいずれかにおいて、前記第一素材は、前記第二素材よりもボリュームが大きい素材であり、前記第二素材は、前記第一素材よりも柔らかくしなやかな素材であることを特徴とする。
【００１１】
本考案の複層式布団の第六実施態様は、第一から第五実施態様のいずれかにおいて、前記第一布地の外面側に前記第三素材を介して第四布地が配置され、前記第一布地と前記第四布地がタタキキルトまたは第三立体キルトにより結合されることを特徴とする。
【００１２】
本考案の複層式布団の第七実施態様は、第六実施態様において、前記第三素材は、前記第二素材と同一の素材であることを特徴とする。
【考案の効果】
【００１３】
本考案の複層式布団によれば、立体キルトのマチの配置作業を効率的に行うことができる。
【図面の簡単な説明】
【００１４】
【図１】第一実施形態の二層式羽毛布団を示す斜視図である。
【図２】二層式羽毛布団を示す縦断面図である。
【図３】第二布地にマチテープを取り付ける工程図である。
【図４】マチを起立させた半製品を示す斜視図である。
【図５】第一マチと第二マチを結合する工程図である。
【図６】第二実施形態の三層式羽毛布を示す縦断面図である。
【考案を実施するための形態】
【００１５】
本考案の複層式布団の実施形態について、図面を参照しながら説明する。
【００１６】
〔第一実施形態：二層式羽毛布団１〕
図１は、二層式羽毛布団１を示す斜視図である。
図２は、二層式羽毛布団１を示す縦断面図である。二層式羽毛布団１の横断は、縦断とほぼ同一構成である。
【００１７】
二層式羽毛布団１は、３枚の布地（第一布地１１、第二布地１２、第三布地１３）を備える。第一布地１１は表生地、第二布地１２は中地、第三布地１３は裏生地である。
第一布地１１と第二布地１２の間に、第一素材２１が配置される。第二布地１２と第三布地１３の間に、第二素材２２が配置される。
第一布地１１と第二布地１２は立体キルト３０により結合される。
第二布地１２と第三布地１３はタタキキルト４０により結合される。
立体キルト３０とタタキキルト４０の配置は異なる。立体キルト３０は間隔Ｌ、タタキキルト４０は間隔Ｍで、それぞれ配置される。
【００１８】
タタキキルト４０は、布地と布地を直接縫合する。
立体キルト３０は、布地と布地をマチ（第一マチ３１、第二マチ３２）を介して結合する。
立体キルト３０は、第一布地１１と第二布地１２間に大きな空間を形成する。
第一布地１１の内面に縫合された第一マチ３１と、第二布地１２の外面に縫合された第二マチ３２とを、互いに縫合して、第一布地１１と第二布地１２が結合される。
第二布地１２に配置された立体キルトの第二マチ３２は、予め切り込み３６が設けられており、第二布地１２から起立する。
【００１９】
第一素材２１は、吹き込み充填材である。吹き込み充填材は、羽毛、粒状綿またはポリエステル等の短繊維形状の素材である。
第一素材２１は、ボリュームが大きい素材が用いられる。保温力を向上させるためである。例えばダウン１５％、フェザー８５％の羽毛である。
【００２０】
第二素材２２は、シート状の綿材等である。シート状の綿材は、短繊維綿をカーディング、ニードルパンチ等により綿が互いに拘絡した状態にさせたシート状の綿材、もしくは、シルク綿、ポリエステル長繊維などの長繊維をシート状に成形した綿材である。
第二素材２２は、柔らかくしなやかな素材が用いられる。肌触りのよさを向上させるためである。
【００２１】
第一布地１１〜第三布地１３は、任意である。
第一布地１１と第三布地１３は、二層式羽毛布団１の外面となるので、肌触りのよい生地を用いることができる。一方、第二布地１２は、二層式羽毛布団１の内部に配置されるため、綿の吹き出しが生じない程度の生地を用いることができる。
【００２２】
〔製造工程〕
二層式羽毛布団１の製造工程について説明する。
図３〜図５は、二層式羽毛布団１の製造工程を示す図である。
【００２３】
まず、図３（ａ）に示すように、第二布地１２の表面にマチテープ３５を付ける。例えば、５×６マスが形成されるように、マチテープ３５を格子状（縦横）に縫合する。このマチテープ３５が第二マチ３２を構成する。
同様に、第一布地１１の内面側にも、例えば、５×６マスを形成するようにマチテープ３５を格子状に縫合する。
【００２４】
マチテープ３５には、図３（ｂ）に示すように、複数箇所にＶ字形の切り込み３６が形成される。この切り込み３６は、マチテープ３５を横切る縫い目が通過する部位に設けられる。つまり、切り込み３６は、立体キルト３０の間隔Ｌとタタキキルト４０の間隔Ｍとを組み合わせた間隔で形成される。
マチテープ３５を格子状に縫合するとき、それぞれのマチテープ３５の切り込み３６が重なるように配置される。このため、マチテープ３５を第一布地１１に格子状に縫合しても、第一マチ３１が第一布地１１から起立できる。同様に、マチテープ３５を第二布地１２に格子状に縫合しても、第二マチ３２が第二布地１２から起立できる。
【００２５】
次に、第二布地１２と第三布地１３の間に、第二素材２２を配置する。
第二布地１２、第二素材２２及び第三布地１３を重ね合わせた状態で、格子状のタタキキルト４０を形成する。例えば、６×７マスのキルティングを形成する。タタキキルト４０は、マチテープ３５の配置からずれた位置に配置される。
タタキキルト４０の縫い目は、マチテープ３５の切り込み３６を横切るように配置される。このため、タタキキルト４０を形成しても、第二マチ３２が第二布地１２に縫合されず、第二マチ３２が第二布地１２から起立できる。
そして、布地の周囲の掴み代部分を切断する。このため、タタキキルト４０の縫い目は、第二布地１２、第三布地１３の周縁まで形成される。
【００２６】
図４は、第二マチ３２を起立させた半製品の斜視図である。
第二布地１２に形成された立体キルト３０の第二マチ３２は、交差する他のマチテープ３５とタタキキルト４０の縫い目が通過する部位に予め切り込み３６が設けられているので、第二布地１２から起立できる。
【００２７】
次に、図５に示すように、第一布地１１に設けた第一マチ３１と第二布地１２に設けた第二マチ３２を合わせて縫い合わせる。
そして、第一布地１１、第二布地１２及び第三布地１３の外周を縫製する。このとき、外周の一部を縫わずに、充填口を形成する。
【００２８】
次に、充填口にノズルを挿入して、第一布地１１と第二布地１２間に形成されたマス目に、第一素材２１を定量ずつ吹き込み充填する。
最後に、充填口を縫い合わせる。
このようにして、二層式羽毛布団１が完成する。
【００２９】
〔第二実施形態：三層式羽毛布団２〕
図６は、三層式羽毛布団２を示す縦断面図である。
三層式羽毛布団２は、二層式羽毛布団１の第一布地１１の外面側に、第三素材２３を介して第四布地１４が配置したものである。第一布地１１と第四布地１４はタタキキルト４０により結合される。
その他の構成は、二層式羽毛布団１と同一である。
【００３０】
三層式羽毛布団２の製造工程は、二層式羽毛布団１とほぼ同一であり、第一布地１１においても第二布地１２と同一の工程を行う。
【００３１】
第四布地１４は、第一布地１１、第二布地１２、第三布地１３のいずれかと同一であってもよいし、これらとは異なる布地であってもよい。
第一布地１１と第四布地１４は、三層式羽毛布団２の外面となるので、肌触りのよい生地を用いる。一方、第二布地１２と第三布地１３は、三層式羽毛布団２の内部に配置されるため、綿の吹き出しが生じない程度の生地を用いる。
【００３２】
第三素材２３は、第二素材２２と同一である。第三素材２３は、第一素材２１と同様に、吹き込み充填材であってもよい。第一素材２１と第三素材２３が羽毛の場合、ダウンとフェザーの割合は同じでもよいし異なってもよい。
【００３３】
マチテープ３５に形成される複数の切り込み３６は、Ｖ字形に限らない。四角形や円弧形であってもよい。
切り込み３６は、直線状であってもよい。この場合は、立体キルト３０やタタキキルト４０の間隔よりも短い間隔で多数形成する。これにより、一部のマチが縫い合わされて起立できなくても、残りの大多数のマチが起立できるので、立体キルト３０を形成できる。
【００３４】
本考案の実施形態は、例として提示したものであり、考案の範囲を限定することは意図していない。これらの新規な実施形態は、その他の様々な形態で実施されることが可能であり、考案の要旨を逸脱しない範囲で、種々の省略、置き換え、変更を行うことができる。これらの実施形態やその変形は、考案の範囲や要旨に含まれるとともに、実用新案登録請求の範囲に記載された考案とその均等の範囲に含まれる。
【００３５】
二層式羽毛布団１において、第二布地１２と第三布地１３がタタキキルト４０により結合される場合について説明したが、これに限らない。第二布地１２と第三布地１３が第二立体キルト（立体キルト３０と同様の構成）により結合されてもよい。
三層式羽毛布団２において、第一布地１１と第四布地１４がタタキキルト４０により結合される場合について説明したが、これに限らない。第一布地１１と第四布地１４が第三立体キルト（立体キルト３０と同様の構成）により結合されてもよい。
【００３６】
立体キルト３０、タタキキルト４０が格子状に形成される場合について説明したが、これに限らない。立体キルト３０、タタキキルト４０が任意の形状であってもよい。立体キルト３０、タタキキルト４０は、直線状に限らず、曲線状であってもよい。
立体キルト３０、タタキキルト４０の形状は、例えば、特開２００３−３３９５０１号公報に記載された形状でもよい。
例えば、三層式羽毛布団２において、第一布地１１側のタタキキルト４０は任意の形状で、第四布地１４側のタタキキルト４０は格子状にしてもよい。
【符号の説明】
【００３７】
１  二層式羽毛布団（複層式布団）  
２  三層式羽毛布団（複層式布団）  
１１  第一布地  
１２  第二布地  
１３  第三布地  
１４  第四布地  
２１  第一素材  
２２  第二素材  
２３  第三素材  
３０  立体キルト  
３１  第一マチ  
３２  第二マチ  
３６  切り込み  
４０  タタキキルト  
【図１】
0003216174.tif 000003
【図２】
0003216174.tif 000004
【図３】
0003216174.tif 000005
【図４】
0003216174.tif 000006
【図５】
0003216174.tif 000007
【図６】
0003216174.tif 000008